(57)【要約】  着脱可能な分配部材を備える菓子分配容器であって、前記分配部材はヒンジ付きのフローゲートを備え、該フローゲートは、閉位置において、前記分配部材の分配部の底部に設けられた対応する開口を覆うように構成されている、菓子分配容器が提供される。前記分配部材は、前記分配部の上部を覆うように構成されている、ヒンジ付きの蓋を備え、該ヒンジ付きの蓋は、該ヒンジ付きの蓋が、前記分配部の上部を覆う閉位置にあるときに、前記ヒンジ付きのフローゲートの所定範囲の回転を許容し、かつ、該菓子分配容器が直立位置から傾けられた際に、前記ヒンジ付きのフローゲートが回転して、前記対応する開口が開くように構成されている。前記ヒンジ付きの蓋と前記ヒンジ付きのフローゲートは、前記ヒンジ付きの外蓋が、前記分配部の上部を覆っていない開位置にあるときに、係合して、前記ヒンジ付きのフローゲートが閉位置となるように規制する。
2017530068.tif 000002
【特許請求の範囲】
【請求項１】
収納部と、
前記収納部に着脱可能に取り付けられる分配部材と、
を備える、食品分配容器であって、
前記分配部材は、
閉位置において、該分配部材の分配部の底部に設けられた対応する開口を覆うように構成されている、ヒンジ付きのフローゲートと、
前記分配部の上部を覆うように構成されている、ヒンジ付きの蓋と、
を備え、
前記ヒンジ付きの蓋は、該ヒンジ付きの蓋が、前記分配部の上部を覆う閉位置にあるときに、前記ヒンジ付きのフローゲートの所定範囲の回転を許容し、該食品分配容器が直立位置から傾けられた際に、前記ヒンジ付きのフローゲートが回転して、前記対応する開口が開くように構成されており、および、
前記ヒンジ付きの蓋と前記ヒンジ付きのフローゲートは、前記ヒンジ付きの蓋が、前記分配部の上部を覆っていない開位置にあるときに、係合して、前記ヒンジ付きのフローゲートが閉位置となるように規制する、
食品分配容器。
【請求項２】
トグルで切り替えることにより、前記ヒンジ付きのフローゲートを開くように構成されている、分配ボタンをさらに備える、請求項１に記載の食品分配容器。
【請求項３】
前記収納部は、その内側に、複数の選択可能な食品収納室を画する、回転可能な分割部材を備える、請求項１に記載の食品分配容器。
【請求項４】
前記ヒンジ付きのフローゲートは、硬質のヒンジ部と軟質の舌部とを備える、請求項１に記載の食品分配容器。
【請求項５】
前記軟質の舌部は、穴付き縁部を備える、請求項４に記載の食品分配容器。
【発明の詳細な説明】
【技術分野】
【０００１】
本発明は、食品容器、より具体的にはこぼれ防止機能付きの菓子容器およびディスペンサに関する。
【背景技術】
【０００２】
子供たちは、シリアル、チョココーティングのキャンディなどの小さなキャンディ、ナッツなどを好んで食する。しかしながら、特に幼児などの子供が菓子容器を持ち運ぶ場合に、菓子を容器からこぼしてしまいがちである。なぜなら、子供は、手を使って菓子を取り出すことはできるが、それと同時に容器を傾かないように保持することができないためである。また、子供は菓子を取り出す際に、取り出す量をコントロールすることができない。多くの場合、子供はコントロールできずに、手にいっぱい持ってしまい、持っている物を持ちきれずに不必要にこぼしてしまう結果となる。
【発明の概要】
【発明が解決しようとする課題】
【０００３】
好みの菓子を補充でき、単にディスペンサを逆さまにしたり、あるいは、ボタンを押しつつディスペンサを逆さまにしたりするだけで、その菓子を少量ずつ、蓋などの分配領域に分配できる菓子ディスペンサを実現することは有利である。
【０００４】
したがって、本発明の目的は、容器を逆さまにすることにより、あるいは、フローゲートを開けるためのボタンを押し、かつ、容器を逆さまにすることにより、適正な分配量の材料を、容器の本体から容器の蓋あるいは分配領域に移動させることを可能とする菓子分配容器を提供することにある。
【課題を解決するための手段】
【０００５】
子供は、食品の分配された一部に容易にアクセスできるが、大部分は前記容器の本体内に閉鎖されて、こぼれることが防止される。本発明の一実施態様では、該菓子容器は、４個の部品からなり、コップ程度の大きさであり、食品を貯蔵し、かつ、子供が前記蓋を閉め、該容器を逆さまにし、再度蓋を開けることにより、一定量の食品を放出するように構成される。
【０００６】
本発明の第１態様では、菓子分配容器のための新規な組み合わせ構造が提供される。該組み合わせ構造は、貯蔵部と、材料が流れることを許容ないしは防止できるようにヒンジ連結されているゲートを通じて、該材料が受け渡される分配部と、前記ゲートと通じている蓋とを備え、該蓋が閉じている場合に、該菓子分配容器を逆さまにすることにより、前記ゲートが揺動して開き、材料が前記貯蔵部から前記分配部内に流れることを許容し、かつ、前記蓋が開いている場合に、前記ゲートが閉位置に係止され、前記材料が流れ出ることが防止されるように構成されている。
【０００７】
本発明の第２態様では、押されることにより、前記ヒンジ連結されているゲートを開くように構成されたボタンを備える、菓子分配容器のための新規な組み合わせ構造が提供される。
【０００８】
本発明の第３態様では、前記貯蔵部が、複数の区画に分割されており、前記貯蔵部と前記分配部との間に備えられた回転窓により、前記複数の区画のうちの１つが選択可能となっている、菓子分配容器のための新規な組み合わせ構造が提供される。
【発明の効果】
【０００９】
本発明の菓子容器により、子供が菓子を食べながら、容器の中味をこぼしてしまうことが防止される。追加的に、本発明の菓子容器は、菓子がこぼれないようにするだけでなく、再汚染により、ほこりや細菌が付着することを防止して、菓子を清潔に維持することも可能とする。ほとんどの場合、このような再汚染は、子供が貯蔵されている菓子に繰り返し接触する機会があることに起因する。本発明の菓子容器では、子供は貯蔵ユニット内に手を入れることができないため、子供が菓子を掴むごとに、菓子と接触してしまうことが防止される。このようにして、該容器により、菓子の再汚染の可能性が防止される。さらに、菓子が外部環境に晒されることがないため、短期間での菓子の劣化の可能性も低減される。
【図面の簡単な説明】
【００１０】
【図１】図１Ａおよび図１Ｂは、本発明の一実施形態による菓子容器およびその部品を示す概略図である。
【図２】図２Ａ〜図２Ｅは、本発明の一実施形態による菓子容器を使用する過程を示す。
【図３】図３は、本発明の一実施形態による菓子容器の組立状態および分解状態を示す概略図である。
【図４】図４Ａおよび図４Ｂは、本発明の一実施形態の菓子容器におけるフローゲート機構を示す概略図である。
【図５】図５Ａおよび図５Ｂは、本発明の一実施形態の菓子容器に用いられる、蓋とフローゲート用のヒンジアセンブリを示す概略図である。
【図６】図６〜図６Ｅは、本発明の一実施形態の菓子容器に用いられるフローゲート機構の動作を示す一部破断概略図である。
【図７】図７は、本発明の別実施形態の菓子容器における、ボタントグル式フローゲートを示す概略図および拡大図である。
【図８】図８は、本発明の別実施形態による、市販の菓子容器に使用される菓子分配蓋を示す。
【図９】図９Ａおよび図９Ｂは、本発明の別実施形態による、選択可能な複数の区画を備えた菓子容器を示す概略図である。
【発明を実施するための形態】
【００１１】
１．序説
概略的には、本発明の好適な実施形態は、容器内の菓子食品がこぼれ落ちてしまうことを防止できる菓子容器を提供する。
【００１２】
２．好適な実施形態の構造
図１Ａに示すとおり、本発明の一実施形態による菓子容器１００は、菓子を保存するためのリザーバ１０５を備える。分配カップ１１０は、リザーバ１０５の頂部に着脱可能に挿入される。フローゲート１１５は、分配カップ１１０にヒンジにより取り付けられ、分配カップ１１０に配された開口に対して開位置と閉位置の間で移動可能であって、閉位置において前記開口を封鎖する。外蓋１２０は、分配カップ１１０に別のヒンジで取り付けられ、開閉可能となっている。分配カップ１１０は、外蓋１２０の閉位置において、外蓋１２０に設けられた１以上の突起１３０に係合する、１以上の孔または凹み１２５を備える。本発明の代表的な実施形態では、孔１２５および外蓋１２０の突起１３０は、滑らかな縁と角度を備え、適切に係合できるとともに、分配カップ１１０に対して外蓋１２０を開ける際に、たとえば小さな子供による僅かな力でも簡単に解除できるように、構成されている。
【００１３】
図１Ｂに示すとおり、分配カップ１１０の背面側には、端部２０５に解除ボタン２００が配されている。解除ボタン２００の機能については、図２Ａ〜図２Ｅを参照しながら詳述する。
【００１４】
図２Ａ〜図２Ｅは、本発明の菓子容器を使用する過程を示す。図２Ａに示すとおり、菓子容器１００は、分配カップ１１０の解除ボタン２００を押して、リザーバ１０５の対応する開口に対する分配カップ１１０の連結を解除するとともに、リザーバ１０５と分配カップ１１０（および、取り付けられている外蓋１２０）とを引き離すことにより、開状態となる。孔１２５と突起１３０との連結との比較では、解除ボタン２００と対応する開口との係合を解除するためには、より大きな力と器用さが要求され、幼い子供がリザーバ１０５から分配カップ１１０を引き離すことができないようになっている。たとえば、解除ボタン２００を含む分配カップ１１０のこの部分２０５は、複合材料などの十分な剛性を有する材料からなり、リザーバ１０５の対応する開口に対する分配カップ１１０の連結を解除するために、閾値量を上回る力での押圧が必要となるように構成されている。
【００１５】
図２Ｂに示すように、菓子食品、すなわち、シリアル、クラッカーなどの幼児用のフィンガースナックを、リザーバ１０５に対して、たとえば全体の２／３程度、充填することができる。本発明の典型的な実施形態においては、リザーバ１０５は、全体の２／３である理想的な充填レベルを示す成形インディケータを備えることができる。
【００１６】
図２Ｃに示すように、リザーバ１０５内に菓子食品を充填した後、外蓋１２０とともに、分配カップ１１０をリザーバ１０５に再挿入する。図２Ｄに示すように、外蓋１２０を閉じた状態では、菓子容器１００を、上下逆さまにすることができ、さらに、一振りあるいは二振りすることで、菓子食品の一部を、前記開口を通じて、分配カップ１１０内に移動させることができる。以下に詳述するように、外蓋１２０を閉じた状態で菓子容器１００を裏返しにすることで、フローゲート１１５が枢動して開位置となって、リザーバ１０５内の菓子食品を分配カップ１１０に分配するようにすることもできる。菓子容器１００をさらに裏返して通常の状態に戻すと、フローゲート１１５が枢動して閉位置となって、分配された菓子食品が分配カップ１１０内に留まり、かつ、リザーバ１０５から菓子食品がさらにこぼれ出ることが防止される。図２Ｅに示すように、ユーザが、外蓋１２０を開けることにより、分配カップ１１０内にある菓子を食することが可能となる。分配カップ１１０が空になったならば、ユーザは外蓋１２０を閉じて、菓子容器１００を逆さにして振る動作を繰り返すことにより、菓子食品をリザーバ１０５から分配カップ１１０にさらに追加することが可能となる。
【００１７】
図３は、リザーバ（ベース容器）１０５、開状態にある外蓋１２０が取り付けられた分配カップ１１０、および、完全に組み立てられた菓子容器１００のそれぞれの斜視図である。本発明の一実施形態によれば、菓子容器１００に、さまざまな動物やキャラクタをあしらえることもできる。なお、菓子容器１００は、別の形状とすることもでき、ほぼ円筒形とする必然性もない。
【００１８】
本発明の一実施形態によれば、フローゲート１１５は、単一の射出成形部品により構成することができる。しかしながら、菓子の一つがフローゲート１１５と分配カップ１１０との間に挟まって、動作をロックしてしまう場合がある。以下に詳述するように、本発明のこぼれ防止機能の一つとして、フローゲート１１５が完全に閉まらない場合に、外蓋１２０が開かないようにすることができる。すなわち、本発明の典型的な実施形態では、フローゲート１１５は、２つの異なる材料からなる部品により構成することができる。図４Ａに示すように、フローゲート１１５は、硬質プラスチック製で、揺動可能で、かつ、ロック機構として機能する、ヒンジ部４０５を備えることができる。フローゲート１１５の前縁部（舌部）４１０は、シリコン製の別部品により構成することができる。シリコンの柔軟性により、舌部４１０は、外蓋１２０に対して屈曲することができ、外蓋１２０が開いた状態で、フローゲート１１５を閉じさせることが可能である。図４Ｂに示すように、舌部４１０と分配カップ１１０の開口の周縁との間に詰まった食品は、手で取り出すことも可能であり、また、そこに残すが、再度、逆さまにして振ることにより、分配カップ１１０内に落下させるようにすることも可能である。追加的に、舌部４１０に、横穴（ノッチ４１５および４２０として図示されている）付きの縁部を備えて、舌部４１０の一部のみを開いて、挟まれた食品を取り出し、フローゲート１１５の他の部分については閉じたままの状態として、この際に菓子食品がこぼれ出ることを防止することができる。上記のように、舌部４１０は、柔軟な食品用シリコンあるいは同様の複合プラスチック材料を用いて作製することができる。これら２つの部品は、同時成形してもよく、２つの異なる部材として作製し、これらを組み合わせて構成することもできる。
【００１９】
図５Ａおよび図５Ｂは、分配カップ１１０への外蓋１２０とフローゲート１１５のヒンジ接続を示している。図５Ａに示されているように、外蓋１２０は、分配カップ１１０に対して、外蓋１２０が閉位置と最大開位置との間で約９０度回転可能なように、ヒンジで取り付けられる。図５Ｂに示すように、フローゲート１１５は、分配カップ１１０に対して、対応する凹部にヒンジで取り付けられるが、この凹部によって、外蓋１２０が閉じた状態で菓子容器１００を逆さまに保持した際に分配カップ１１０内で開位置となるように、フローゲート１１５の回転は制限される。
【００２０】
図６Ａ〜図６Ｅは、本発明の典型的な実施形態による、上述した分配カップ１１０内に菓子食品を分配する過程を実施するための、外蓋１２０とフローゲート１１５と間の連動機構を示す断面図である。図６Ａ、図６Ｄおよび図６Ｅに示すように、外蓋１２０のヒンジ接続部は、ノッチ６０５を備えており、ノッチ６０５により、外蓋１２０が閉位置にあるときにヒンジの周りをフローゲート１１５が回転できる範囲が定められる。これにより、図６Ａおよび図６Ｄに示すように、フローゲート１１５は、菓子容器１００が逆さまの位置にあるときに、分配カップ１１０内で、重力により揺動して開くことができる。図６Ｄにさらに示すように、リザーバ１０５内の菓子食品の一部が、フローゲート１１５が開くことにより覆われなくなった開口を通じて、分配カップ１１０内に移動する。図６Ｃに示すように、菓子容器１００を通常の状態に戻すことにより、フローゲート１１５が重力によりヒンジの周りを回転して閉位置に戻る。このようにして、分配カップ１１０内に捕捉された菓子食品の一部が、リザーバ１０５内に残った菓子食品から分離される。図６Ｂおよび図６Ｃに示すように、フローゲート１１６は、対応するノッチ６１０を備えることができ、このノッチ６１０が外蓋１２０のヒンジ部に嵌合することにより、フローゲート１１６は、外蓋１２０が開いているときには、閉位置に保持される。このように、フローゲート１１６が閉じた状態にロックされると、外蓋１２０が空いた状態でも、リザーバ１０５内の菓子食品はリザーバ１０５の外に出ることはない。したがって、菓子容器１００は、一度に一口量の菓子食品を分配することができるとともに、菓子容器１００がどのような位置にあったとしても、菓子食品がリザーバ（容器本体）１０５からこぼれ落ちることが防止される。
【００２１】
本発明の菓子容器１００は、幼児用にきわめて好適なこぼれ防止機能付きの菓子容器である。ただし、本発明の菓子容器１００は、幼児用には限定されることはない。さまざまな実施形態やタイプを用意することができ、これにより、ハイカー、スポーツファン、旅行好きの家族、アウトドアスポーツ愛好家、ペットの所有者、年配者といった大人たちも利用することができる。
【００２２】
代替的な実施形態として、図７に示すように、ユーザが、菓子食品を分配するためのフローゲートを正確に制御することを可能とする分配ボタンを備えることができる。この分配ボタンにより、菓子容器の向きに関係なく、フローゲートを開放することができる。したがって、たとえば、アウトドアにおける活動中に菓子容器を使用する際に、充填された状態で、菓子容器が逆さまになって、意図せずに菓子容器が分配されてしまうことが防止される。菓子食品は、ユーザがそれを望んで、分配ボタンを押した場合にのみ、分配される。図７に示すように、分配ボタンのヒンジ接続は、意図しないトグル動作を抑制するために、たとえば、ばね付勢による抵抗を備えることもできる。
【００２３】
いくつかの実施形態では、図８に示すように、菓子容器の上部、すなわち、分配カップ１１０および外蓋１２０のみを、専用品以外の別の容器に取り付けることも可能である。たとえば、分配カップ１１０と外蓋１２０との組立体をカスタマイズして、市販の菓子用の容器などの別の容器に後付けで取り付けられるのに適したサイズとすることができる。
【００２４】
追加的に、リザーバ１０５を、複数の区画を備える容器によって構成することもできる。これにより、図９Ａおよび図９Ｂに示すように、数種類の菓子を選択することが可能となる。回転式のセレクタが、リザーバ９１０内に区画を形成するパーティションに接続された、菓子カップ９００の底部にあるノブ９０５を介させる（あるいは代替的に上部側を回転させる）ことにより作動して、窓（フローゲート１１５）を選択された区画に整列させることができる。上述したカップ機構は、窓の上方側に直接嵌合させることもできる。図９Ａおよび図９Ｂは、３つの区画を示しているが、任意の数の区画を設けることは、本発明の範囲に包含される。
【００２５】
本発明の構成部品は、プラスチック成形品により構成されることが好ましい。硬質材料あるいは半硬質材料を使用することも、本発明の範囲に包含される。本装置は、全体として、異なる材料からなる部品を備えることができる。たとえば、上述のように、前記（フロー）ゲートの基部（ヒンジ部）ハードプラスチック製として、前記ゲートの先端部（舌部）を軟質のシリコンにより構成することもできる。あらゆる材料の組み合わせも、本発明の範囲に包含される。図示の例では、容器の形状は概ね円筒状であるが、これに限られることはなく、いかなる形状の容器も本発明の範囲に包含される。
【００２６】
本発明について、現時点で好適な実施形態と考えられるものにより説明を行ったが、本発明は、開示された実施形態により限定されるものではない。逆に、本発明は、さまざまな改良や均等の構成についても、添付の特許請求の範囲に記載された発明の範囲に包含される。特許請求の範囲は、このような改良物や均等物の構造や機能を包含しうる、最も広い解釈により画定されるべきである。
【００２７】
本明細書で引用される米国その他の特許および特許出願の内容は、参照により、本明細書に組み込まれるものとする。
【符号の説明】
【００２８】
１００  菓子容器
１０５  リザーバ
１１０  分配カップ
１１５  フローゲート
１２０  外蓋
１２５  孔
１３０  突起
２００  解除ボタン
２０５  端部
４０５  ヒンジ部
４１０  舌部
４１５、４２０  ノッチ
６０５、６１０  ノッチ
９００  菓子カップ
９０５  ノブ
９１０  リザーバ
【図１Ａ】
2017530068.tif 000003
【図１Ｂ】
2017530068.tif 000004
【図２Ａ】
2017530068.tif 000005
【図２Ｂ】
2017530068.tif 000006
【図２Ｃ】
2017530068.tif 000007
【図２Ｄ】
2017530068.tif 000008
【図２Ｅ】
2017530068.tif 000009
【図３】
2017530068.tif 000010
【図４Ａ】
2017530068.tif 000011
【図４Ｂ】
2017530068.tif 000012
【図５Ａ】
2017530068.tif 000013
【図５Ｂ】
2017530068.tif 000014
【図６Ａ】
2017530068.tif 000015
【図６Ｂ】
2017530068.tif 000016
【図６Ｃ】
2017530068.tif 000017
【図６Ｄ】
2017530068.tif 000018
【図６Ｅ】
2017530068.tif 000019
【図７】
2017530068.tif 000020
【図８】
2017530068.tif 000021
【図９Ａ】
2017530068.tif 000022
【図９Ｂ】
2017530068.tif 000023
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
収納部と、
前記収納部に着脱可能に取り付けられる分配部材と、
を備える、食品分配容器であって、
前記分配部材は、
閉位置において、該分配部材の分配部の底部に設けられた対応する開口を覆うように構成されている、ヒンジ付きのフローゲートと、
前記分配部の上部を覆うように構成されている、ヒンジ付きの蓋と、
を備え、
前記ヒンジ付きの蓋は、該ヒンジ付きの蓋が、前記分配部の上部を覆う閉位置にあるときに、前記ヒンジ付きのフローゲートの所定範囲の回転を許容し、該食品分配容器が直立位置から傾けられた際に、前記ヒンジ付きのフローゲートが回転して、前記対応する開口が開くように構成されており、および、
前記ヒンジ付きの蓋と前記ヒンジ付きのフローゲートは、前記ヒンジ付きの蓋が、前記分配部の上部を覆っていない開位置にあるときに、係合して、前記ヒンジ付きのフローゲートが閉位置となるように規制する、
食品分配容器。
【請求項２】
トグルで切り替えることにより、前記ヒンジ付きのフローゲートを開くように構成されている、分配ボタンをさらに備える、請求項１に記載の食品分配容器。
【請求項３】
前記収納部は、その内側に、複数の選択可能な食品収納室を画する、回転可能な分割部材を備える、請求項１に記載の食品分配容器。
【請求項４】
前記ヒンジ付きのフローゲートは、硬質のヒンジ部と軟質の舌部とを備える、請求項１に記載の食品分配容器。
【請求項５】
前記軟質の舌部は、穴付き縁部を備える、請求項４に記載の食品分配容器。
【請求項６】
食品収納容器に着脱可能に取り付けられる分配部材と、
閉位置において、前記分配部材の底部に備えられた開口を覆うように構成されている、フローゲートと、
前記分配部材の上部を覆うように構成されている蓋と、
を備える、食品収納容器用の食品分配蓋であって、
前記蓋が閉位置にあるときに、該食品分配蓋が直立位置から回転するに従って、前記フローゲートの前記開口からの回転が許容され、かつ、
前記蓋が開位置にあるときに、前記フローゲートの前記開口からの回転が抑止される、
食品分配蓋。
【請求項７】
前記分配部材は、前記蓋を閉位置に保持するために前記蓋に備えられた突起と係合する孔を備える、請求項６に記載の食品分配蓋。
【請求項８】
前記分配部材は、前記食品収納容器に前記食品分配蓋を着脱可能に取り付けるために、前記食品収納容器に備えられた孔と接続する、解除ボタンをさらに備える、請求項７に記載の食品分配蓋。
【請求項９】
前記食品収納容器から前記分配部材を取り外すために前記解除ボタンを作動させるのに必要とされる力が、前記蓋を開けるための前記孔と突起との係合を解除するのに必要とされる力より大きくなるように構成されている、請求項８に記載の食品分配蓋。
【請求項１０】
前記フローゲートは、硬質のヒンジ部と軟質の舌部とを備える、請求項６に記載の食品分配蓋。
【請求項１１】
前記軟質の舌部は、穴付き縁部を備える、請求項１０に記載の食品分配蓋。
【請求項１２】
前記穴付き縁部は、少なくとも２つの切り欠きを有する、請求項１１に記載の食品分配蓋。
【請求項１３】
前記軟質の舌部は、シリコンからなる、請求項１０に記載の食品分配蓋。
【請求項１４】
前記食品収納容器は、インディケータラインを備える、請求項６に記載の食品分配蓋。
【請求項１５】
前記フローゲートは、前記分配部材の凹部の内側で該フローゲートの回転が９０度未満となるように制限された状態で、前記分配部材にヒンジで取り付けられている、請求項６に記載の食品分配蓋。
【請求項１６】
前記食品収納容器は、複数の菓子食品を選択可能に区分けするための回転可能な分配要素を備える、請求項６に記載の食品分配蓋。
【請求項１７】
前記回転可能な分配要素を回転させるために回転ノブが使用される、請求項１６に記載の食品分配蓋。
【請求項１８】
食品収納容器に着脱可能に取り付けられる、分配部材と、
閉位置において、前記分配部材の底部に備えられた開口を覆うように構成されている、フローゲートと、
前記分配部材の上部を覆うように構成されている、蓋と、
前記フローゲートを前記閉位置から開位置まで移動させるための分配ボタンと、
を備える、食品収納容器用の食品分配蓋。
【請求項１９】
前記分配ボタンは、前記分配蓋の向きにかかわらず作動可能である、請求項１８に記載の食品分配蓋。
【請求項２０】
前記分配ボタンは、一体成形ヒンジまたはバネ押しヒンジにより、閉位置にバイアスをかけられている、請求項１８に記載の食品分配蓋。
【請求項２１】
食品収納容器に着脱可能に取り付けられるように構成されている、分配部材と、
閉位置において、前記分配部材の底部に備えられた開口を覆うように構成されている、フローゲートと、
前記分配部材の上部を覆うように構成されている、蓋と、
を備える、食品収納容器用の食品分配蓋。
【請求項２２】
前記蓋が閉位置にあるときに、前記フローゲートの前記開口から離れる方向の回転が許容され、かつ、前記蓋が開位置にあるときには、該フローゲートの前記開口から離れる方向の回転が阻止されるように構成されている、請求項２１に記載の食品分配蓋。
【請求項２３】
前記回転は、前記蓋の面に実質的に平行な軸を中心になされるように構成されている、請求項２２に記載の食品分配蓋。
【国際調査報告】
2017530068.tif 000024
2017530068.tif 000025